(57)【要約】【課題】アーティストなどの演奏を会場外の視聴者に提供する.【解決手段】視聴者端末１００と、視聴者端末１００とネットワークを介して接続されるコンテンツ配信装置２００と、コンテンツ配信装置２００とネットワークを介して接続されるライブイベント提供装置３００と、を有するコンテンツ配信システム１０であって、コンテンツ配信装置２００は、リアルタイムで撮影されているライブイベントをストリーミング配信するストリーミング配信部２１０と、過去に撮影されたアーカイブコンテンツをオンデマンド配信するオンデマンド配信部２２０とを有する。【選択図】図１
2019022072.tif 000002
【特許請求の範囲】
【請求項１】
リアルタイムで撮影されているライブイベントをストリーミング配信するストリーミング配信部と、
過去に撮影されたアーカイブコンテンツをオンデマンド配信するオンデマンド配信部と、
を有する、
コンテンツ配信装置。
【請求項２】
請求項１に記載のコンテンツ配信装置において、
ストリーミング回線が時間ごとに割り当てられたスケジュールをライブイベント提供装置に提供するスケジュール作成部を有する、
コンテンツ配信装置。
【請求項３】
請求項１に記載のコンテンツ配信装置において、
コンテンツを視聴する視聴者を識別するための視聴者ＩＤとパスワードとが対応付けられて記憶されている視聴者情報記憶部を有し、
前記ストリーミング配信部は、ログイン中の前記視聴者ＩＤと同一の前記視聴者ＩＤからのログインを排除する、
を有する、
コンテンツ配信装置。
【請求項４】
請求項１に記載のコンテンツ配信装置において、
前記ライブイベントが開催される開催場所を含む地図を含む地図表示画面を提供する地図提供部を有する、コンテンツ配信装置。
【請求項５】
請求項１に記載のコンテンツ配信装置において、
前記ライブイベントと前記アーカイブコンテンツとの少なくともいずれか一方の配信数と投稿数とに基づくランキングを生成するランキング生成部を有する、コンテンツ配信装置。
【請求項６】
請求項１に記載のコンテンツ配信装置において、
前記ストリーミング配信部は、配信した後の前記ライブイベントを前記アーカイブコンテンツとしてアーカイブコンテンツ情報記憶部に記憶する、コンテンツ配信装置。
【請求項７】
請求項１に記載のコンテンツ配信装置において、
会員登録しなくても視聴可能な無料コンテンツを提供するイベント情報提供部を有する、コンテンツ配信装置。
【請求項８】
請求項１に記載のコンテンツ配信装置において、
前記ライブイベントが配信されている際に、入力を受け付けた投げ銭の総額を前記視聴者ごとに集計する投げ銭集計部と、
前記投げ銭の総額に応じたリワードを選定する投げ銭集計部と、
を有する、コンテンツ配信装置。
【請求項９】
視聴者端末と、前記視聴者端末とネットワークを介して接続されるコンテンツ配信装置と、前記コンテンツ配信装置とネットワークを介して接続されるライブイベント提供装置と、を有するコンテンツ配信システムであって、
前記コンテンツ配信装置は、
リアルタイムで撮影されているライブイベントをストリーミング配信するストリーミング配信部と、
過去に撮影されたアーカイブコンテンツをオンデマンド配信するオンデマンド配信部と、
を有する、
コンテンツ配信システム。
【発明の詳細な説明】
【技術分野】
【０００１】
本発明は、コンテンツ配信装置およびコンテンツ配信システムに関する。
【背景技術】
【０００２】
ライブイベントの出席者に映像を提供する技術が知られている。例えば、特表２００８−５２０１６３号公報（特許文献１）には、「ライブコンサートの種々のビューのビデオが取り込まれる。ライブコンサートが行われている間、複数のビデオストリームがライブコンサートの出席者に提供される。デジタルビデオストリームが複数あることで、ライブコンサートの出席者はその複数のデジタルビデオストリームのうちどれを見るかを、その出席者に関連付けられた携帯型デジタル装置を使って選択することができるようになる。その結果、出席者はライブコンサートの種々のビューのうちから選択ができる」と記載されている。
【先行技術文献】
【特許文献】
【０００３】
【特許文献１】特表２００８−５２０１６３号公報
【発明の概要】
【発明が解決しようとする課題】
【０００４】
特許文献１に記載されている技術では、座席位置が悪いライブイベントの出席者が、イベントのよりよいビューを得ることができる。しかしながら、特許文献１に記載されている技術では、ライブイベントの会場外の人物にライブイベントを提供できないという問題があった。
【０００５】
本発明の目的は、アーティストなどの演奏を会場外の視聴者に提供することである。
【課題を解決するための手段】
【０００６】
本願において開示される発明のうち、代表的なものの概要を簡単に説明すれば、次の通りである。
【０００７】
本発明の一実施の形態のコンテンツ配信装置は、リアルタイムで撮影されているライブイベントをストリーミング配信するストリーミング配信部を有する。また、過去に撮影されたアーカイブコンテンツをオンデマンド配信するオンデマンド配信部を有する。
【０００８】
また、本発明の一実施の形態のコンテンツ配信システムは、視聴者端末と、前記視聴者端末とネットワークを介して接続されるコンテンツ配信装置と、前記コンテンツ配信装置とネットワークを介して接続されるライブイベント提供装置と、を有するコンテンツ配信システムであって、前記コンテンツ配信装置は、リアルタイムで撮影されているライブイベントをストリーミング配信するストリーミング配信部と、過去に撮影されたアーカイブコンテンツをオンデマンド配信するオンデマンド配信部とを有する。
【発明の効果】
【０００９】
本願において開示される発明のうち、代表的なものによって得られる効果を簡単に説明すれば以下のとおりである。
【００１０】
本発明の一実施の形態によれば、アーティストなどの演奏を会場外の視聴者に提供できる。
【図面の簡単な説明】
【００１１】
【図１】本発明の一実施の形態におけるコンテンツ配信システムの構成例の概要を示す図である。
【図２】本発明の一実施の形態におけるコンテンツ配信装置の視聴者情報記憶部に記憶されている視聴者情報の構成例の概要を示す図である
【図３】本発明の一実施の形態におけるコンテンツ配信装置のライブイベント情報記憶部に記憶されているライブイベント情報の構成例の概要を示す図である。
【図４】本発明の一実施の形態におけるコンテンツ配信装置の予約情報記憶部に記憶されている予約情報の構成例の概要を示す図である。
【図５】本発明の一実施の形態におけるコンテンツ配信装置の投げ銭情報記憶部に記憶されている投げ銭情報の構成例の概要を示す図である。
【図６】本発明の一実施の形態におけるコンテンツ配信装置のランキング情報記憶部に記憶されているランキング情報の構成例の概要を示す図である。
【図７】本発明の一実施の形態におけるコンテンツ一覧画面の構成例の概要を示す図である。
【図８】本発明の一実施の形態におけるライブイベント検索画面の構成例の概要を示す図である。
【図９】本発明の一実施の形態における地図表示画面の構成例の概要を示す図である。
【図１０】本発明の一実施の形態におけるライブイベント視聴画面の構成例の概要を示す図である。
【図１１】本発明の一実施の形態におけるライブイベント予約処理の概要を示す図である。
【図１２】本発明の一実施の形態におけるライブイベント配信処理の概要を示す図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
＜システム構成＞
【００１３】
図１は、本発明の一実施の形態におけるコンテンツ配信システム１０の構成例の概要を示す図である。図１に示されるようにコンテンツ配信システム１０は、視聴者端末１００と、視聴者端末１００とネットワークを介して接続されるコンテンツ配信装置２００と、コンテンツ配信装置２００とネットワークを介して接続されるライブイベント提供装置３００とを有する。
【００１４】
ライブイベント提供装置３００は、撮影（例えば、ライブイベントが開催される場所に設置される機器（ビデオカメラなど）により撮影）されたライブイベントの映像をコンテンツ配信装置２００に提供する。
【００１５】
視聴者端末１００は、視聴者により使用される端末である。なお、視聴者には、リアルタイムで撮影されているライブイベントの視聴者と、過去に配信されたアーカイブコンテンツの視聴者と、無料コンテンツの視聴者とが含まれる。
【００１６】
視聴者端末１００のディスプレイは、コンテンツ配信装置２００から提供される、コンテンツを選択するための窓口ページであるコンテンツ一覧画面（後述、図７）、ライブイベントを検索するためのライブイベント検索画面（後述、図８）、ライブイベントが開催される開催場所を含む地図が表示される地図表示画面（後述、図９）、ライブイベントを視聴するためのライブイベント視聴画面（後述、図１１）を表示する。
【００１７】
コンテンツ配信装置２００は、ストリーミング配信部２１０と、オンデマンド配信部２２０と、スケジュール作成部２３０と、投げ銭集計部２４０と、地図提供部２５０と、ランキング生成部２６０と、イベント情報提供部２７０と、コンテンツを視聴する視聴者を識別するための視聴者ＩＤとパスワードとが対応付けられて記憶されている視聴者情報記憶部２８１と、過去にストリーミング配信されたアーカイブコンテンツが記憶されているアーカイブコンテンツ情報記憶部２８２と、ライブイベントの日時や開催場所や配信ＵＲＬが記憶されているライブイベント情報記憶部２８３と、ライブイベントを視聴するための予約に関する情報が記憶されている予約情報記憶部２８４と、無料で視聴可能な無料コンテンツが記憶されている無料コンテンツ記憶部２８５と、ライブイベントを視聴した視聴者により入力された投げ銭の金額が記憶されている投げ銭情報記憶部２８６と、コンテンツのランキングに関する情報が記憶されているランキング情報記憶部２８７とを有する。
【００１８】
ストリーミング配信部２１０は、リアルタイムで撮影されているライブイベントをストリーミング配信する。ストリーミング配信部２１０は、ライブイベント提供装置３００から提供されるライブイベントを逐次再生する。なお、ストリーミング配信部２１０は、ストリーミングサーバーから提供されるライブイベントを視聴者端末１００に提供しても良い。また、ストリーミング配信部２１０は、サードバーティのストリーミングサービスを利用して提供されるライブイベントを視聴者端末１００に提供しても良い。さらに、アーティストの入れ替え時間中に、ストリーミング配信部２１０は、広告を配信するようにしても良い。
【００１９】
ストリーミング配信部２１０は、配信が完了した後のライブイベントをアーカイブコンテンツとしてアーカイブコンテンツ情報記憶部２８２に記憶する。例えば、ストリーミング配信部２１０は、アーカイブコンテンツをライブイベントとしてストリーミング配信がされてから一定期間（例えば１日〜１か月）が経過した後に、アーカイブコンテンツ情報記憶部２８２に記憶する。
【００２０】
また、ストリーミング配信部２１０は、ログイン中の視聴者ＩＤと同一の視聴者ＩＤからのログインを排除する。これによって、ライブイベントを視聴する権利が転売されることを防止できる。
【００２１】
ストリーミング配信部２１０は、予約情報記憶部２８４に記憶されている情報を定期的に参照する。そして、ストリーミング配信部２１０は、予約情報記憶部２８４に記憶されているライブイベントの日時（開始日時）が、現在の時刻の所定時間（例えば、５分〜1
【００２２】
時間）後であるかを判定する。そして、ストリーミング配信部２１０は、ライブイベントの日時（開始日時）が、現在の時刻から所定時間後である場合に、ライブイベントを予約した視聴者にリマインドメールを送信する。リマインドメールは、ライブイベントの開始時刻や、アーティスト名や、ライブイベントを視聴するための配信ＵＲＬなどを含む。
【００２３】
なお、ストリーミング配信部２１０は、配信ＵＲＬにアクセスするための二次元コードを視聴者端末１００に提供するようにしても良い。また、ストリーミング配信部２１０は、配信ＵＲＬに替えて、ライブイベントを再生する動画プレーヤーの埋め込みタグを提供しても良い。
【００２４】
ストリーミング配信部２１０は、視聴者ＩＤおよびイベントＩＤをキーに投げ銭情報記憶部２８６を検索することで、対応する投げ銭額を取得する。そして、ストリーミング配信部２１０は、取得した投げ銭額に応じて、ライブイベントの配信時間（終了時刻）を延長する。例えば、投げ銭額が第１の値（例えば、１０００円）を越えていた場合、ストリーミング配信部２１０は、ライブイベントの配信時間を第１の時間（例えば、１０分間）延長する。これによって、投げ銭をした視聴者のみに、ライブイベント後のアーティスからのメッセージなどを配信できる。また、ストリーミング配信部２１０は、投げ銭額が第１の値よりも大きい第２の値（例えば、３０００円）を超えていた場合、オンデマンド配信部２２０に無償でアーカイブコンテンツを視聴者端末１００にオンデマンド配信可能にさせる。
【００２５】
オンデマンド配信部２２０は、過去に撮影されたアーカイブコンテンツをオンデマンド配信する。また、オンデマンド配信部２２０は、予約されたライブイベントが視聴者により視聴されたか否かを管理する。例えば、オンデマンド配信部２２０は、ライブイベントを視聴するための配信ＵＲＬが視聴者からアクセスがされていない、または、視聴者によりワンタイムパスワードが１度も入力されなかった場合は、視聴者によって、ライブイベントが視聴されていないと判定する。視聴者によって、ライブイベントが視聴されていない場合、オンデマンド配信部２２０は、視聴されていないライブイベントについてのアーカイブコンテンツを、視聴者に無償で提供する。これによって、予約したライブイベントを見逃した視聴者であっても、アーカイブコンテンツを視聴できる。
【００２６】
スケジュール作成部２３０は、ストリーミング回線が時間ごとに割り当てられたスケジュールをライブイベント提供装置３００に提供する。スケジュールは、ストリーミング回線番号ごとに、ライブイベントが配信される時間が割り当てられる。これによって、ストリーミング回線ごとに分散して配信可能になる。そして、効率的な配信が可能になる。なお、スケジュールとして回線ごとに割り当てられる時間は、ライブイベントの開始時刻と終了時刻に基づき決定される。また、終了時刻については、ライブイベントの延長を考慮して、ライブイベントが開催される時間よりも所定時間（例えば３０分〜２時間）遅い時刻が割り振られる。
【００２７】
投げ銭集計部２４０は、ライブイベントが配信されている際に、入力を受け付けた投げ銭の総額を視聴者ごとに集計する。また、投げ銭集計部２４０は、投げ銭の総額に応じたリワード（報酬）を視聴者ごとに選定する。
【００２８】
地図提供部２５０は、ライブイベントが開催される開催場所を含む地図を含む地図表示画面（後述、図９）を提供する。
【００２９】
ランキング生成部２６０は、ライブイベントとアーカイブコンテンツとの少なくともいずれか一方の配信数と、投稿数と、いいね数と、投げ銭額とに基づくランキングを生成する。そして、ランキング生成部２６０は、生成したランキングを視聴者端末１００に提供する。ランキングは、配信数と投稿数といいね数と投げ銭額とのいずれか一つが、多いライブイベント順に一覧で表示される。なお、ランキングは、配信数と投稿数といいね数と投げ銭額とをポイント化して、配信数のポイントと投稿数のポイントといいね数のポイントと投げ銭額のポイントとの総合値が高いライブイベント順に一覧で表示されるようにしても良い。また、ランキング生成部２６０により生成されるランキングは、アーティスト名、日時、いいね数、投げ銭額、イベント画像などの情報を含む。
【００３０】
イベント情報提供部２７０は、会員登録しなくても視聴可能な無料コンテンツを視聴者に提供する。
＜視聴者情報記憶部＞
【００３１】
図２は、本発明の一実施の形態におけるコンテンツ配信装置２００の視聴者情報記憶部２８１に記憶されている視聴者情報の構成例の概要を示す図である。
【００３２】
図２に示されるように、視聴者情報は、視聴者ＩＤ、パスワード、氏名、メールアドレス、住所、嗜好ジャンル、言語などのデータ項目により構成される。視聴者ＩＤは視聴者を識別するための符号を示す。パスワードは、視聴者がコンテンツ配信装置２００により提供されるサービスを利用する際に要求される暗証番号である。氏名は、視聴者の氏名を示す。メールアドレスは、視聴者のメールアドレスを示す。住所は、視聴者の住所を示す。嗜好ジャンルは、視聴者が嗜好する楽曲のジャンルを示す。言語は、視聴者が使用する言語を示す。コンテンツ配信装置２００は、視聴者情報記憶部２８１を参照することで、視聴者に対応する言語で表示された各画面（後述、図７〜１０）を提供する。また、ライブイベント視聴画面のコメント欄は、対応する言語で視聴者からの文字の入力を受け付ける。
＜アーカイブコンテンツ情報記憶部＞
【００３３】
図３は、本発明の一実施の形態におけるコンテンツ配信装置２００のライブイベント情報記憶部２８３に記憶されているライブイベント情報の構成例の概要を示す図である。
【００３４】
図３に示されるように、ライブイベント情報は、イベントＩＤ、アーティスト名、日時、ジャンル、開催場所、放映場所、イベント画像、配信ＵＲＬなどのデータ項目により構成される。
【００３５】
イベントＩＤは、ライブイベントを識別するための符号を示す。アーティスト名は、アーティストの名称を示す。日時は、ライブイベントが開催される日時を示す。ジャンルは、ライブイベントのジャンルを示す。開催場所は、ライブイベントが開催される場所を示す。放映場所は、ライブイベントが放映される場所（例えば、バーや、スタジオや、壁面に巨大モニタが設置されている建物や、巨大モニタが設置されている広場など）の位置を示す。イベント画像は、イベントの画像を表示するための画像データである。配信ＵＲＬは、ライブイベントを視聴するためのＵＲＬ（Ｕｎｉｆｏｒｍ  Ｒｅｓｏｕｒｃｅ  Ｌｏｃａｔｏｒ）である。配信ＵＲＬはライブイベントごとに作成される。
＜予約情報＞
【００３６】
図４は、本発明の一実施の形態におけるコンテンツ配信装置２００の予約情報記憶部２８４に記憶されている予約情報の構成例の概要を示す図である。
【００３７】
図４に示されるように、予約情報は、予約ＩＤ、視聴者ＩＤ、アーティスト名、日時、開催場所、放映場所、配信ＵＲＬ、ワンタイムパスワードなどのデータ項目により構成される。
【００３８】
予約ＩＤは、予約情報を識別するための符号を示す。ワンタイムパスワードは、ライブイベントを視聴する際に必要な、一度きり有効なパスワードである。なお、サードパーティーの提供するサービスを利用してストリーミング配信する場合は、当該サードパーティーの提供するパスワード機能を、認証の付加条件として追加するようにしても良い。
＜投げ銭情報記憶部＞
【００３９】
図５は、本発明の一実施の形態における投げ銭情報記憶部２８６に記憶されている投げ銭情報の構成例の概要を示す図である。
【００４０】
図５に示されるように、投げ銭情報は、視聴者ＩＤ、イベントＩＤ、投げ銭額などのデータ項目により構成される。投げ銭額は、視聴者により入力された投げ銭の金額を示す。
＜ランキング情報記憶部＞
【００４１】
図６は、本発明の一実施の形態におけるランキング情報記憶部２８７に記憶されているランキング情報の構成例の概要を示す図である。
【００４２】
図６に示されるように、ランキング情報は、アーティスト名、日時、いいね数、投げ銭額、イベント画像などのデータ項目により構成される。いいね数は、いいねボタンを押下した視聴者の数を示す。
＜コンテンツ一覧画面＞
【００４３】
図７は、本発明の一実施の形態におけるコンテンツ一覧画面の構成例の概要を示す図である。図７に示されるように、コンテンツ一覧画面には、各コンテンツ（無料コンテンツ、ライブイベント、アーカイブコンテンツ）の内容を示すイベント画像７１０が格子状に並べられて一覧で表示される。また、コンテンツ一覧画面には、無料コンテンツ表示ボタン７２０と、ライブイベント表示ボタン７３０と、アーカイブコンテンツ表示ボタン７４０と、ライブイベント検索画面表示ボタン７５０とが表示される。
【００４４】
コンテンツ一覧画面に表示された無料コンテンツについてのイベント画像７１０が押下されると、コンテンツ配信装置２００は、現在、視聴者がログイン中であるかを判定する。そして、視聴者がログイン中である場合、コンテンツ配信部２００のストリーミング配信部２１０またはオンデマンド配信部２２０は、視聴者端末１００に無料コンテンツを提供する。なお、視聴者がログイン中でない場合、コンテンツ配信装置２００は、視聴者端末に視聴者ＩＤと、パスワードとの入力を受け付けるログイン画面（不図示）を提供する。
【００４５】
また、コンテンツ一覧画面に表示された無料コンテンツについてのイベント画像７１０が押下されると、コンテンツ配信装置２００は、現在、ログイン中の視聴者が有料会員か否かを判定する。そして、視聴者が有料会員である場合、コンテンツ配信部２００のオンデマンド配信部２２０は、アーカイブコンテンツ情報記憶部２８２から取得したアーカイブコンテンツを視聴者端末１００に提供する。
【００４６】
無料コンテンツ表示ボタン７２０が押下されると、イベント情報提供部２７０は、無料コンテンツ記憶部２８５に記憶されている無料コンテンツ情報を取得し、取得した無料コンテンツ情報に含まれるイベント画像を一覧で表示するコンテンツ一覧画面を生成する。そして、イベント情報提供部２７０は生成したコンテンツ一覧画面を視聴者端末１００に提供する。
【００４７】
ライブイベント表示ボタン７３０が押下されると、イベント情報提供部２７０は、ライブイベント情報記憶部２８３に記憶されているライブイベント情報を取得し、取得したライブイベント情報に含まれるイベント画像を一覧で表示するコンテンツ一覧画面を生成する。そして、イベント情報提供部２７０は生成したコンテンツ一覧画面を視聴者端末１００に提供する。
【００４８】
アーカイブコンテンツ表示ボタン７４０が押下されると、イベント情報提供部２７０は、アーカイブコンテンツ情報記憶部２８２に記憶されているアーカイブコンテンツ情報を取得し、取得したアーカイブコンテンツ情報に含まれるイベント画像を一覧で表示するコンテンツ一覧画面を生成する。そして、イベント情報提供部２７０は生成したコンテンツ一覧画面を視聴者端末１００に提供する。
【００４９】
ライブイベント検索画面表示ボタン７５０が押下されると、イベント情報提供部２７０は、視聴者端末１００にライブイベント検索画面（後述、図８）を提供する。
＜ライブイベント検索画面＞
【００５０】
図８は、本発明の一実施の形態におけるライブイベント検索画面の構成例の概要を示す図である。図８に示されるように、ライブイベント検索画面には、アーティストの名称の入力を受け付けるアーティスト名入力欄８１０と、期間の入力を受け付ける期間入力欄８２０と、ジャンルの入力を受け付けるジャンル入力欄８３０と、開催場所（ライブイベントが開催される場所の住所）の入力を受け付ける開催場所入力欄８４０とが表示される。
【００５１】
なお、アーティスト名入力欄８１０と、期間入力欄８２０と、ジャンル入力欄８３０と、開催場所入力欄８４０とに入力される情報は、ライブイベントを検索するための検索キーとなる。
【００５２】
また、ライブイベント検索画面には、検索結果一覧表示領域２０４０と、検索ボタン８５０とが表示される。
【００５３】
検索結果一覧表示領域２０４０には、イベント画像７１０と、アーティスト名と、ジャンルと、日時とが表示される。また、検索結果一覧表示領域２０４０には、地図表示ボタン７２０と、予約ボタン７３０とが表示される。
【００５４】
アーティスト名入力欄８１０と、期間入力欄８２０と、ジャンル入力欄８３０と、開催場所入力欄８４０との少なくともいずれか一つ以上に入力を受け付けた後に、検索ボタン８５０が押下されると、イベント情報提供部２７０は、検索キー（アーティスト名入力欄８１０、期間入力欄８２０、ジャンル入力欄８３０、開催場所入力欄８４０に入力された情報）と対応するイベント画像７１０と、アーティスト名と、ジャンルと、日時（期間入力欄８２０に入力された期間に含まれる日時）と、場所とをライブイベント情報記憶部２８３から取得する。また、イベント情報提供部２７０は、検索キー（アーティスト名入力欄８１０、期間入力欄８２０、ジャンル入力欄８３０、開催場所入力欄８４０に入力された情報）と対応するイベント画像７１０と、アーティスト名と、ジャンルと、日時（期間入力欄８２０に入力された期間に含まれる日時と、場所とをアーカイブコンテンツ情報記憶部２８２から取得する。
【００５５】
そして、イベント情報提供部２７０は、検索結果一覧表示領域２０４０に、取得したイベント画像７１０と、アーティスト名と、ジャンルと、日時と、場所とを対応付けてライブイベント検索画面の検索結果一覧表示領域２０４０に表示させる。
【００５６】
なお、イベント情報提供部２７０は、日時順にライブイベント画像７１０と、アーティスト名と、ジャンルと、日時と、場所とを対応付けてライブイベント検索画面に表示させるようにしてもよい。また、検索結果一覧表示領域２０４０を、ライブイベント情報記憶部２８３から取得した情報が表示される領域と、アーカイブコンテンツ情報記憶部２８２から取得した情報が表示される領域とに分割しても良い。
【００５７】
検索結果一覧表示領域２０４０の地図表示ボタン７２０が押下された場合、地図提供部２５０は、地図表示画面（後述、図９）を視聴者端末１００に提供する。
【００５８】
検索結果一覧表示領域２０４０の予約ボタン７３０が押下された場合、スケジュール作成部２３０は、予約ＩＤと、アーティスト名と、日時と、開催場所と、放映場所と配信ＵＲＬと、ワンタイムパスワードとを対応付けて予約情報記憶部（前述、図４）２５４に記憶する。
＜地図表示画面＞
【００５９】
図９は、本発明の一実施の形態における地図表示画面の構成例の概要を示す図である。図９に示されるように、地図表示画面には、イベント画像７１０と、予約ボタン７３０と、地図が表示される地図表示領域９１０と、開催場所表示ボタン９２０と、放映場所表示ボタン９３０とが表示される。また、地図表示画面には、アーティス名と、ジャンルと、日時と、開催場所と、放映場所とが表示される。
【００６０】
開催場所表示ボタン９２０が押下されると、開催場所を含む地図が表示される。また、開催場所と対応する位置（開催場所の住所から特定される）には、開催場所を示すマーク９４０が表示される。また、視聴者の自宅から開催場所までの移動に必要な時間や、開催場所の最寄り駅から開催場所までの移動に必要な時間などが表示される。
【００６１】
放映場所表示ボタン９３０が押下されると、放映場所を含む地図が表示される。また、放映場所と対応する位置（放映場所の住所から特定される）には、放映場所を示すマーク９４０が表示される。また、視聴者の自宅から放映場所までの移動に必要な時間や、放映場所の最寄り駅から放映場所までの移動に必要な時間などが表示される。
＜ライブイベント視聴画面＞ 
【００６２】
図１０は、本発明の一実施の形態におけるライブイベント視聴画面の構成例の概要を示す図である。図１０に示されるように、ライブイベント視聴画面には、映像が表示される映像表示領域１００１と、投げ銭ボタン１０１０と、投げ銭インジゲーター１０２０と、いいねボタン１０３０と、コメント入力欄１０４０と、送信ボタン１０５０が表示される。また、ライブイベント視聴画面を介して、ライブイベント（生演奏など）が再生される。
【００６３】
投げ銭ボタン１０１０が押下されると、金額の入力を受け付けるための金額入力欄１０６０が表示される。金額入力欄１０６０へ金額が入力されると、投げ銭集計部２４０は、予約ＩＤと、金額入力欄１０６０へ入力された金額とを対応付けて投げ銭情報記憶部２８６に記憶する。また、これまでに視聴者によって入力された投げ銭の金額の合計値（１人の視聴者の合計値）に基づき、投げ銭インジケーター１０２０の表示態様（色や模様など）が変化する。
【００６４】
例えば、投げ銭インジケーター１０２０は、投げ銭の金額の合計値の範囲に応じた態様で表示される。例えば、投げ銭の金額の合計値が０円〜５００円の場合、投げ銭インジケーターの色が青色であり、５００円〜２０００円の場合、投げ銭インジケーターの色が黄色に変化する。なお、投げ銭インジケーター１０２０の表示態様を変化させることに替えて、映像表示領域１００１の枠部の表示態様を変化させるようにしても良い。
【００６５】
また、金額入力欄１０６０へ金額が入力されるとランキング生成部２６０は、イベントＩＤをキーにランキング情報記憶部２８７を検索し、対応するランキング情報を取得する。そして、ランキング生成部２６０は、取得したランキング情報に含まれる、投げ銭額に入力された投げ銭額を積算することで、ランキング情報を更新し、更新後のランキング情報をランキング情報記憶部２８７に記憶する。
【００６６】
いいねボタン１０３０が押下されると、ランキング生成部２６０は、イベントＩＤをキーにランキング情報記憶部２８７を検索し、対応するランキング情報を取得する。そして、ランキング生成部２６０は、取得したランキング情報に含まれる、いいね数をインクリメントすることで、ランキング情報を更新し、更新後のランキング情報をランキング情報記憶部２８７に記憶する。
＜ライブイベント予約処理＞
【００６７】
図１１は、本発明の一実施の形態におけるライブイベント予約処理の概要を示す図である。
【００６８】
まず、Ｓ１１０１にて、コンテンツ配信装置２００のイベント情報提供部２７０は、視聴者端末１００にライブイベント検索画面（前述、図８）を提供する。
【００６９】
次に、Ｓ１１０２にて、視聴者端末１００のディスプレイにライブイベント検索画面が表示される。そして、視聴者端末１００は、アーティスト名入力欄８１０と、期間入力欄８２０と、ジャンル入力欄８３０と、開催場所入力欄８４０との少なくともいずれか一つ以上への入力を受け付ける。
【００７０】
次に、Ｓ１１０３にて、視聴者端末１００は、Ｓ１１０２にて入力を受け付けた情報（アーティスト名入力欄８１０と、期間入力欄８２０と、ジャンル入力欄８３０と、開催場所入力欄８４０との少なくともいずれか一つ以上の検索キー）をコンテンツ配信装置２００へ送信する。
【００７１】
次に、Ｓ１１０４にて、コンテンツ配信装置２００のイベント情報提供部２７０は、Ｓ１１０３にて送信された情報（検索キー）を受信する。そして、イベント情報提供部２７０は、受信した情報をキーに、ライブイベント情報記憶部２８３を検索し、対応するイベント画像と、アーティスト名と、日時と、ジャンルと、開催場所と、放映場所と、配信ＵＲＬとからなるライブイベント情報を取得する。
【００７２】
次に、Ｓ１１０５にて、コンテンツ配信装置２００のイベント情報提供部２７０は、Ｓ１１０４にて取得したイベント画像と、アーティスト名と、日時と、ジャンルと、開催場所と、放映場所と、配信ＵＲＬとが対応付けられて検索結果一覧表示領域２０４０にリスト表示されるライブイベント検索画面を、視聴者端末１００に提供する。
【００７３】
次に、Ｓ１１０６にて、視聴者端末１００は、Ｓ１１０５にて提供されたライブイベント検索画面の検索結果一覧表示領域２０４０に表示されている地図表示ボタン７２０と、予約ボタン７３０とのいずれかのボタンの選択（押下）を受け付ける。
【００７４】
次に、Ｓ１１０６にて、視聴者端末１００が、地図表示ボタン７２０を押下する入力を受け付けた場合（Ｓ１１０６−地図表示ボタン）、Ｓ１１０９へ進む。一方、Ｓ１１０６にて、視聴者端末１００が、予約ボタン７３０が押下される入力を受け付けた場合（Ｓ１１０６−予約ボタン）、Ｓ１１０７へ進む。
【００７５】
次に、Ｓ１１０７にて、視聴者端末１００は、予約のリクエストをコンテンツ配信装置２００へ送信する。
【００７６】
次に、Ｓ１１０８にて、コンテンツ配信装置２００のイベント情報提供部２７０は、ワンタイムパスワードを発行し、発行したワンタイムパスワードを視聴者端末１００に送信する。
【００７７】
次に、Ｓ１１０９にて、コンテンツ配信装置２００は、視聴者端末１００にログインしている視聴者のＩＤと、予約されたライブイベントの日時と、開催場所と、配信ＵＲＬと、Ｓ１１０８にて発行したワンタイムパスワードとを対応付けて予約情報記憶部２８４に記憶する。
【００７８】
Ｓ１１０６にて地図表示ボタン７２０が押下された場合、Ｓ１１１０にて、視聴者端末は、地図表示画面（前述、図９）のリクエストを行う。
【００７９】
次に、Ｓ１１１１にて、コンテンツ配信装置２００は、視聴者端末１００に地図表示画面を提供する。
【００８０】
次に、Ｓ１１１２にて、視聴者端末１００は、Ｓ１１１１にて提供された地図表示画面をディスプレイに表示する。そして、地図表示画面に表示されている予約ボタン７３０とのいずれかのボタンの選択（押下）を受け付ける。
【００８１】
Ｓ１１１２にて、視聴者端末１００が、予約ボタン７３０が押下される入力を受け付けた場合（Ｓ１１１２−Ｙｅｓ）、Ｓ１１０７へ進む。一方、Ｓ１１１２にて、視聴者端末１００が、予約ボタン７３０が押下される入力を受け付けない場合（Ｓ１１１２−Ｎｏ）、ライブイベント予約処理を終了する。
＜ライブイベント配信処理＞
【００８２】
図１２は、本発明の一実施の形態におけるライブイベント配信処理の概要を示す図である。
【００８３】
まず、Ｓ１２０１にて、視聴者端末１００は、ライブイベントの配信ＵＲＬにアクセスする。
【００８４】
次に、Ｓ１２０２にて、視聴者端末１００は、ワンタイムパスワードの入力を受け付ける。そして、予約ＩＤと、視聴者端末１００は入力を受け付けたワンタイムパスワードをコンテンツ配信装置２００へ送信する。
【００８５】
次に、Ｓ１２０３にて、コンテンツ配信装置２００は、Ｓ１２０２にて送信された予約ＩＤと、ワンタイムパスワードをと受信する。
【００８６】
次に、Ｓ１２０４にて、コンテンツ配信装置２００のストリーミング配信部２１０は、Ｓ１２０３にて受信した予約ＩＤをキーにライブイベント情報記憶部２８３を検索し、対応するワンタイムパスワードを取得する。
【００８７】
次に、Ｓ１２０５にて、コンテンツ配信装置２００のストリーミング配信部２１０は、Ｓ１２０４にて取得したライブイベント情報記憶部２８３から取得したワンタイムパスワードと、Ｓ１２０３にて受信したワンタイムパスワードとが一致するか否かを判定する。ストリーミング配信部２１０が、Ｓ１２０４にて取得したワンタイムパスワードとＳ１２０３にて受信したワンタイムパスワードとが一致しないと判定する場合（Ｓ１２０５−Ｎｏ）、ストリーミング配信部２１０は、エラーメッセージを視聴者端末１００に表示させ、ライブイベント配信処理を終了する。一方、ストーミング配信部２１０が、Ｓ１２０４にて取得したワンタイムパスワードとＳ１２０３にて受信したワンタイムパスワードとが一致すると判定する場合（Ｓ１２０５−Ｙｅｓ）、Ｓ１２０６へ進む。
【００８８】
次に、Ｓ１２０６にて、コンテンツ配信装置２００のストリーミング配信部２１０は、ライブイベント視聴画面（前述、図１０）を視聴者端末１００に提供する。
＜本実施の形態の効果＞
【００８９】
以上説明した本実施の形態におけるコンテンツ配信装置２００によれば、リアルタイムで撮影されているライブイベントをストリーミング配信するストリーミング配信部２１０と、過去に撮影されたアーカイブコンテンツをオンデマンド配信するオンデマンド配信部２２０とを有することで、アーティスト（実演者）が、さまざまな新たなマネタイズの機会を得ることができる。また、視聴者にとっては、 距離の制約を受けずに、見たいアーティストの実演を視聴できるようになる。
【００９０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００９１】
たとえば、視聴者端末は、デスクトップ型のＰＣや、ノート型ＰＣ以外にも、タブレット端末や、スマートフォン等の様々な形態の視聴者端末を全て含むものである。
【００９２】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００９３】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００９４】
１００…視聴者端末、
【００９５】
２００…コンテンツ配信装置、２１０…ストリーミング配信部、２２０…オンデマンド配信部、２３０…スケジュール作成部、２４０…投げ銭集計部、２５０…地図提供部、２５１…視聴者情報記憶部２８２…アーカイブコンテンツ情報記憶部２８３…ライブイベント情報記憶部２８４…予約情報記憶部２８５…無料コンテンツ記憶部２８６…投げ銭情報記憶部２８７…ランキング情報記憶部、２６０…ランキング生成部、２７０…イベント情報提供部、
３００…被寄付者端末。
【図１】
2019022072.tif 000003
【図２】
2019022072.tif 000004
【図３】
2019022072.tif 000005
【図４】
2019022072.tif 000006
【図５】
2019022072.tif 000007
【図６】
2019022072.tif 000008
【図７】
2019022072.tif 000009
【図８】
2019022072.tif 000010
【図９】
2019022072.tif 000011
【図１０】
2019022072.tif 000012
【図１１】
2019022072.tif 000013
【図１２】
2019022072.tif 000014